(57)【特許請求の範囲】
【請求項１】
ヒンジ式の便座と便蓋が開閉可能に取り付けられ、旋回流を用いて洗浄する便器装置であって、
前記旋回流用の凹状溝が便器本体のボウルの上端部全周に亘って環状に形成され、この凹状溝はボウルに連続して形成される底面と奥面と前記ボウルの上端部を塞ぐリム部を天面として形成され、
前記リム部は両側部と前部と後部とから成る平面視環状形の外環状部と内環状部が連結して成り、
前記外環状部は、前記便座が閉じた状態で前記便座と当接される面であり、前記両側部が略平行で、この両側部の前後方向の略中央部から前記前部に亘って断面同一矩形形状の水平板で形成されるとともに前記両側部と前部が円弧状に連結され、
前記内環状部は、上面が前記外環状部の端部上面に連結するとともに前記ボウルの中央側へ斜め下方に延設され且つその下端部が平面視環状形で水平状態となるように延設され、この下端部から前記凹状溝の奥面まで延設される面が前記凹状溝の天面であり、前記下端部は前記内環状部の両側部の略中央部から前部に亘って円弧で形成され、この円弧の半径が前記外環状部の両側部と前部間の外縁部の円弧状の曲率半径よりも大きいことを特徴とする便器装置。
【発明の詳細な説明】
【技術分野】
【０００１】
本発明は、旋回流を用いて洗浄する便器装置に関し、ボウル面からの洗浄水の飛び出しを防止する技術に関する。
【背景技術】
【０００２】
従来、便器装置のボウル面からの洗浄水の飛び出しを防止するための技術として特許文献１の方法が知られている。
【０００３】
特許文献１によれば、図５に示すように、便座１の装着品２は、元々便座１の底面に取り付けられ便器３の衝撃を緩和するためのクッション取り付け部を利用して圧入により装着される。
【０００４】
装着品２はクッションの取り付け部と同形状の左右の装着部２ａ、２ｂと、便座１先端の形状に沿ってそれらを結ぶ円弧状の装着部２ｃとを一体にした形状である。
【０００５】
そして、便座１を閉じた状態において装着品２の底面が便器３のリム上面３ａに当接する。このため、便器３と便座１の隙間からの着座時の小水や、温水洗浄装置の洗浄水の便器３外への飛散や流出を防止することができる。
【０００６】
ここで、旋回流を用いて洗浄する便器装置の技術が特許文献２に開示されている。特許文献２によれば、図６に示すように便器装置５は、便器本体６のボウル７の上端部８全周に亘って環状の凹状溝９を設けている。
【０００７】
そして、前記ボウル７の内壁面７ａを洗浄するため、前記凹状溝９の内部の上側に洗浄水を噴射する複数のノズル１０が環状方向に向けて設けられる。
【０００８】
なお、環状給水路としてのリム１１は前記凹状溝９の上側の壁面として前記便器本体６と一体的に成型される。
【特許文献１】特開２００４−１１３６６０号公報
【特許文献２】特開２００６−２４８５号公報
【発明の開示】
【発明が解決しようとする課題】
【０００９】
このような水流式の洗浄方法を備える便器装置５の場合には、旋回流の勢いによって洗浄水が稀にボウル７外へ飛散するという問題が発生していた。
【００１０】
そこで、本発明は、上記問題点に鑑みて、旋回流の洗浄方法を備える便器装置において洗浄水がボウル面から飛び出すことのない便器装置を提供することを目的とする。
【課題を解決するための手段】
【００１１】
請求項１の発明は、旋回流を用いて洗浄する便器装置であって、前記旋回流用の凹状溝が便器本体のボウルの上端部全周に亘って環状に形成され、この凹状溝はボウルに連続して形成される底面と奥面と前記ボウルの上端部を塞ぐリム部を天面として形成され、前記リム部は両側部と前部と後部とから成る平面視環状形の外環状部と内環状部が連結して成り、前記外環状部は、前記便座が閉じた状態で前記便座と当接される面であり、前記両側部が略平行で、この両側部の前後方向の略中央部から前記前部に亘って断面同一矩形形状の水平板で形成されるとともに前記両側部と前部が円弧状に連結され、前記内環状部は、上面が前記外環状部の端部上面に連結するとともに前記ボウルの中央側へ斜め下方に延設され且つその下端部が平面視環状形で水平状態となるように延設され、この下端部から前記凹状溝の奥面まで延設される面が前記凹状溝の天面であり、前記下端部は前記内環状部の両側部の略中央部から前部に亘って円弧で形成され、この円弧の半径が前記外環状部の両側部と前部間の外縁部の円弧状の曲率半径よりも大きいことを特徴としている。
【発明の効果】
【００１２】
請求項１の発明によれば、前記外環状部は前記両側部が略平行で、この両側部の前後方向の略中央部から前記前部に亘って断面同一矩形形状の水平板で形成されるとともに前記両側部と前部が円弧状に連結される。また、前記内環状部は上面が前記外環状部の端部上面に連結するとともに斜め下方にその下端部が平面視環状形で水平状態となるように延設され、前記下端部は前記内環状部の両側部の略中央部から前部に亘って円弧で形成される。
【００１３】
このとき、この円弧の半径が前記外環状部の両側部と前部間の外縁部の円弧状の曲率半径よりも大きく形成されるので、リム部の幅は側部と前部で挟まれた略中央部で最大幅となる。
【００１４】
同様に、この略中央部で前記凹状溝の天面も最大幅でオーバーハングして形成することができる。
【００１５】
このため、前記旋回流用の凹状溝に沿って旋回する洗浄水の飛び出しの可能性が一番高い最初のコーナー領域である前記略中央部において洗浄水がボウル面から飛び出すことがなくなるので衛生性が向上する。
【００１６】
さらに、リム部の側部から前部に至る領域は使用者が便座を介して大腿部を乗せる領域なので、この領域での便座の全幅を広く形成することができるため使用者は安定して座ることができて座り心地も向上する。
【発明を実施するための最良の形態】
【００１７】
＜本発明の第１の実施形態＞
以下に、本発明の実施形態を図１〜図４に基づいて説明する。
【００１８】
＜便器装置の構成＞  
図１、図２、図３、図４に示すように、本発明の実施形態における便器装置２１は旋回流Ｑを用いて洗浄する便器装置である。便器装置２１は便器本体２２がスカート部２３とボウル２４とリム部２５とから成り、ヒンジ式の便座２６と便蓋２７を備える。
【００１９】
旋回流Ｑ用の凹状溝３０はボウル２４の上端部２４ａ全周に亘って環状に形成され、ボウル２４に連続して形成される底面３０ａと奥面３０ｂとボウル２４の上端部２４ａを塞ぐリム部２５の下面を天面３０ｃとして形成される。
【００２０】
リム部２５は外環状部３１と内環状部３２が連結した平面視環状形の構造である。
【００２１】
外環状部３１は、両側部３１ａが平面視で略平行に形成され、側部３１ａの中心２５ａから前部３１ｂの中心２５ｂに亘って断面同一矩形形状の水平板Ｒが幅Ｒ１で形成される。
【００２２】
また、外環状部３１の側部３１ａと前部３１ｂの中間領域Ｔが円弧状に連結され、水平板Ｒの外縁部３１ｃにおいて曲率半径Ｓ１である。
【００２３】
内環状部３２は上端部３２ａが外環状部３１に面一に連結するとともに斜め下方に延設されてその下端部３２ｂが平面視環状形で水平状態となるように形成される。
【００２４】
より詳しくは、この下端部３２ｂから凹状溝３０の奥面３０ｂまで延設される面が上記凹状溝３０の天面３０ｃであり、便器本体２２のスカート部２３の上端２３ａはリム部２５の外環状部３１と連結する。
【００２５】
そして、便器本体の後方から凹状溝３０の内部に図示しないノズルで洗浄水を噴射することで凹状溝３０内に旋回流Ｑが生じる。旋回流Ｑは旋回しながらボウル２４に沿って落下してボウル２４を洗浄することができる。
【００２６】
ここで、内環状部３２の下端部３２ｂはリム部２５の側部の中心２５ａから前部の中心２５ｂに亘って半径Ｓ２の円弧で形成され、この半径Ｓ２が外縁部３１ｃの曲率半径Ｓ１よりも大きく形成され、Ｓ２＞Ｓ１の関係である。
【００２７】
このため、リム部２５の側部の中心２５ａからリム部２５の前部の中心２５ｂの中間領域Ｔにおいて、リム部２５の全幅Ｔ１は最大幅となる。
【００２８】
なお、便器本体２２のスカート部２３とボウル２４とリム部２５は樹脂や陶器等でそれぞれを別部品として加工した後に固着して組立てられる。
【００２９】
＜便器装置の作用＞
上記のように、リム部２５の側部の中心２５ａとリム部２５の前部の中心２５ｂとの中間領域Ｔにおいて、リム部２５の全幅Ｔ１は最大幅となるので、この中間領域Ｔで前記凹状溝３０の天面３０ｃも同様に最大幅でオーバーハングして形成される。
【００３０】
このため、旋回流Qがボウル面から飛び出すことがなくなる。
【００３１】
さらに、中間領域Ｔは使用者が便座を介して大腿部を乗せる領域なので、この領域での便座の全幅を広く形成できるため使用者は安定して快適に座ることができる。
【００３２】
リム部２５は断面同一矩形形状の水平板を主体とする構成なので製作が容易になり成形性や生産性が向上するのでコスト削減ができる。
【００３３】
以上、本発明の実施例を図面に基づいて説明したが、具体的な構成はこの実施例に限られるものではなく本発明の要旨を逸脱しない範囲の設計変更等があっても本発明に含まれる。
【００３４】
例えば、便器本体のスカート部とボウルとリム部は樹脂や陶器で一体形成しても構わない。
【００３５】
環状の凹状溝３０の内部に複数のノズルを配置する洗浄水の噴射方法を用いた場合でも本発明の実施例と同様の効果が得られる。
【図面の簡単な説明】
【００３６】
【図１】本発明の実施形態における便器装置２１の斜視図である。
【図２】本発明の実施形態における便器装置の、図１におけるＡ−Ａ断面図である。
【図３】本発明の実施形態における便器装置の、図２におけるＢ−Ｂ矢視図である。
【図４】本発明の実施形態における便器装置の、図２におけるＣ−Ｃ矢視図である。
【図５】従来の便器装置の斜視図である。
【図６】従来の他の便器装置の断面図である。
【符号の説明】
【００３７】
２１ 便器装置
２５  リム部
２５ａ  中心
２５ｂ  中心
３１  外環状部
３１ａ  側部
３１ｂ  前部
３１ｃ  外縁部
３２  内環状部
３２ａ  上端部
３２ｂ  下端部
Ｑ  旋回流
Ｒ  水平板
Ｒ１  幅
Ｓ１  曲率半径
Ｓ２  半径
Ｔ  中間領域
【図１】
0005559451.tif 000002
【図２】
0005559451.tif 000003
【図３】
0005559451.tif 000004
【図４】
0005559451.tif 000005
【図５】
0005559451.tif 000006
【図６】
0005559451.tif 000007